(57)【要約】【課題】  撮影中のイジェクトを禁止する。【解決手段】  イジェクト検知装置（２０）は、イジェクトノブの操作によるイジェクト操作を検知する。把持検知装置（２２）は、撮像装置を撮影者が把持しているか否かを検知する。システム制御装置（１２）は、イジェクトノブのイジェクト操作に対して、把持状態にない場合には、記録再生装置（１４）にディスク状記録媒体をイジェクトさせ、把持状態にある場合には、記録再生装置（１４）にディスク状記録媒体のイジェクトを禁止する。【選択図】  図１
2009060248.tif 000002
【特許請求の範囲】
【請求項１】
スロットイン方式のディスクドライブユニットを有する撮像装置であって、
前記ディスクドライブユニットに装填されるディスク状記録媒体のイジェクトを指示するイジェクト操作手段と、
前記撮像装置の把持状態を検知する把持検知手段と、
前記イジェクト操作手段によるイジェクト操作に対して、前記把持検知手段により前記把持状態にない場合には、前記ディスクドライブユニットに前記ディスク状記録媒体をイジェクトさせ、前記把持検知手段により前記把持状態にある場合には、前記ディスクドライブユニットに前記ディスク状記録媒体をイジェクトさせない制御手段
とを具備することを特徴とする撮像装置。
【請求項２】
更に、グリップベルトを具備し、
前記把持検知手段が、前記グリップベルトのテンションにより前記把持状態を検知する
ことを特徴とする請求項１に記載の撮像装置。
【請求項３】
前記把持検知手段が、タッチパッドを有することを特徴とする請求項１に記載の撮像装置。
【発明の詳細な説明】
【技術分野】
【０００１】
本発明は、スロットイン方式のディスクドライブユニットを有する撮像装置に関する。
【背景技術】
【０００２】
スロットイン方式で記録媒体を装填する記録装置を具備する撮像装置において、記録媒体のイジェクト動作に応じて記録装置の電源をオフにする技術が特許文献１に記載されている。また、記録媒体の装填／未装填をランプの点灯でユーザに知らせることにより、誤操作を防止する技術が特許文献２に記載されている。
【特許文献１】特開平０７−６４７２号公報
【特許文献２】特開平０６−１２７５８号公報
【発明の開示】
【発明が解決しようとする課題】
【０００３】
特許文献１，２に記載の技術はともに、記録中に誤ってイジェクト操作をした場合には記録動作を停止する。従って、このような記録装置を有する撮像装置では、誤ったイジェクト操作により撮影の機会を逃がしてしまうことになる。
【０００４】
本発明は、このような不都合を解消する撮像装置を提示することを目的とする。
【課題を解決するための手段】
【０００５】
上記の目的を達成するために、本出願に係る発明は、スロットイン方式のディスクドライブユニットを有する撮像装置であって、前記ディスクドライブユニットに装填されるディスク状記録媒体のイジェクトを指示するイジェクト操作手段と、前記撮像装置の把持状態を検知する把持検知手段と、前記イジェクト操作手段によるイジェクト操作に対して、前記把持検知手段により前記把持状態にない場合には、前記ディスクドライブユニットに前記ディスク状記録媒体をイジェクトさせ、前記把持検知手段により前記把持状態にある場合には、前記ディスクドライブユニットに前記ディスク状記録媒体をイジェクトさせない制御手段とを具備することを特徴とする。
【発明の効果】
【０００６】
本発明によれば、把持状態では、イジェクト操作をしても、ディスク状記録媒体がイジェクトされず、撮影中のイジェクトを禁止できる。
【発明を実施するための最良の形態】
【０００７】
以下、図面を参照して、本発明の実施例を詳細に説明する。
【実施例１】
【０００８】
図１は、本発明に係る撮像装置の一実施例の概略構成ブロック図である。本実施例の撮像装置は、ディスク状記録媒体（以下、記録ディスクと略す）に動画像を記録するいわゆるディスクビデオカムコーダである。図２，図３及び図４は、本実施例の外観斜視図を示す。図２は、モニタ１８を筐体側面で開いた状態の、背後から見た斜視図を示し、図３は、正面から見た斜視図を示す。図２及び図３では、装填途中又はイジェクト途中の記録ディスクが図示されている。図４は、撮影用に手に持った状態の背後から見た斜視図を示す。
【０００９】
カメラ部１０は、光学レンズ、ＣＣＤ撮像素子等の撮像素子、カメラ信号処理回路、オートフォーカス機構、ズーム機構及びカメラ系制御回路からなる。カメラ系制御回路が、光学レンズの焦点と露光量等を調整する。撮像素子は、光学レンズにより結像された被写体の光学像を画像信号に変換する。カメラ信号処理回路は、撮像素子の出力画像信号に所定の信号処理を施し、所定ビデオ形式の映像信号を出力する。カメラ系制御回路はマイクロコンピュータ等により構成される。
【００１０】
システム制御装置１２は、ユーザインターフェースからの指示等により撮像装置全体を制御する。記録再生装置１４は、記録ディスク３２を駆動するスロットイン方式のディスクドライブユニットを具備する。記録再生装置１４はまた、カメラ部１０からの映像信号を記録処理して記録再生オプティカルユニットに供給し、記録再生オプティカルユニットにより記録ディスク３２から読み出された信号を再生処理する記録再生処理回路を具備する。記録再生装置１４は、再生映像信号をモニタ１８に供給し、図示しないライン出力端子を介して外部にも供給する。
【００１１】
ユーザインターフェース１６は、主として、装置全体を操作するための全体操作部と、カメラ系操作部と、記録再生系操作部とからなる。全体操作部は、例えば、メニューの表示を指示するメニューボタン、動作モード（撮影（録画）又は再生）を指定するモードダイヤル５２（図３）、並びに、項目選択のための十字キー３６及び決定キー３８からなる。更に、記録ディスク３２のイジェクト用のイジェクトノブ４０を具備する。イジェクトノブ４０に関する動作は、後で詳述する。
【００１２】
カメラ系操作部は、撮影（録画）のスタート／ストップを指示するトリガースイッチ４２、不図示の自動焦点調節（ＡＦ）のオン／オフ、自動露出制御（ＡＥ）のオート／ロック及びプログラムＡＥ等の各種スイッチ又はダイヤルからなる。トリガースイッチ４２は本体３０の背面に配置される。他に、ズームスイッチ４４により撮影倍率を変更操作できる。フォトスイッチ４６により静止画の記録を指示できる。システム制御装置１２は、カメラ系操作部の操作指示をカメラ部１０のカメラ系制御回路に転送する。
【００１３】
記録再生系操作部は、記録再生装置１４及び装置全体に関する各種スイッチからなる。例えば、オンスクリーン、バックライトのオン／オフ／明るさ、ワイドスクリーン化、メニュー、実行、順／逆の早送り、ポーズ及びスタート／ストップ等の指示を、システム制御装置１２に入力できる。
【００１４】
電源スイッチ（ＳＷ）２４により、本体の電源をオン／オフできる。理解を容易にするために、図１では、電源スイッチ２４を独立して図示してあるが、電源スイッチ２４は、実際には、モードダイヤル５２に一体に組み込まれている。システム制御装置１２は、電源スイッチ２４の操作をモニタしている。
【００１５】
システム制御装置１２は、本実施例の各種機能を総合的に制御するマイクロコンピュータ等から構成されている。モニタ１８は、液晶表示パネル（ＬＣＤ）、バックライト、ＬＣＤ駆動回路及びバックライト駆回路からなる。モニタ１８のＬＣＤは、再生画像の鑑賞にも使用できる１．０インチ以上の比較的画面サイズの大きな表示素子からなる。
【００１６】
イジェクト検知装置２０は、記録再生装置１４に装填された記録ディスク３２のイジェクトを指示するイジェクトノブの動作を検知する。把持検知装置２２は、撮影者又は使用者による外装筐体の把持を検知する。
【００１７】
図１に示す構成要素は、本体３０に収容又は装備されている。記録部３４は、ユーザインターフェース１６の一部、記録再生装置１４、イジェクト検知装置２０、及び把持検知装置２２からなる。
【００１８】
撮影レンズ５４（図３）の内部に撮像素子が配置される。モニタ１８は、ヒンジ４８により、本体３０に回動自在に連結されている。
【００１９】
記録ディスク３２を記録部３４の記録再生装置１４に装填するための開口（又はスリット）５６が、本体３０の上面に設けられている。図２で、記録ディスク３２の近くに付記した矢印は、記録ディスク３２の挿入／取り出し方向を示している。図２のＡは、開口５６から記録ディスク３２が突出した際に記録ディスク３２の背面端側の最大外形位置を示す。図３のＢは、開口５６から記録ディスク３２が突出した際に記録ディスク３２の前面端側の最大外形位置を示す。
【００２０】
各部に電力を供給するバッテリ５０は、本体３０に対して脱着可能であり、不図示ロック機構によって本体３０に保持される。図４に示すように、撮影者は、本体３０の側面に取り付けられたグリップベルト５８と、本体３０との間に手を入れて、本体３０を把持する。グリップベルト５８により、撮像装置を把持する疲労を軽減するとともに、不意の落下を防止する。記録部３４が本体３０のグリップベルト５８側に配置されており、撮影者が本実施例の撮像装置を把持した状態で、手の平の中に記録部３４を包み込むような形態になる。
【００２１】
撮影レンズ５４側から見て手前の面を前面、前面と対向する面を背面、右側の面を右側面、右側面に対向する面を左側面、上方の面を上面、上面に対向する面を下面とする。
【００２２】
図５乃至図８を参照して、記録ディスク３２の挿入と取り出しの様子を説明する。図５乃至図８は、記録部３４の機構図を示す。図５は、ディスクドライブユニット６０が待機位置にあるときの正面図を示す。図６は、上面図を示す。図７は、ディスクドライブユニット６０が記録ディスク３２をハーフイジェクトした状態の正面図を示す。図８は、ディスクドライブユニット６０に記録ディスク３２がチャッキングされた状態の正面図を示す。図５、図６及び図７では、理解を容易にするために、記録部３４とは無関係の部分を省略してある。
【００２３】
ディスクドライブユニット６０は、記録ディスク３２にデータを書き込み／読み出すデバイスである。６２はディスクドライブユニット６０を構成する各部材が配置されるシャーシである。６４は記録ディスク３２にレーザ光を照射して、データを書き込み／読み出す光ピックアップユニット（以下、ＯＰＵと略す）である。６６は、記録ディスク３２を周方向に回転させるスピンドルユニットである。６８はスピンドルユニット６６と一体であり、記録ディスク３２をスピンドルユニット６６に装着するディスク装着部である。７０は、ディスク装着部６８と一体であり、記録ディスク３２をディスク装着部６８に保持するディスク保持爪である。
【００２４】
７２は、ディスクドライブユニット６０を制御するディスクドライブ制御基板である。７４は、ＯＰＵ６４とディスクドライブ制御基板７２とを電気的に接続するフレキシブルケーブルである。７６は、スピンドルユニット６６とディスクドライブ制御基板７２とを電気的に接続するフレキシブルケーブルである。
【００２５】
７８は、ＯＰＵ６４を記録ディスク３２の半径方向に沿って移動させるトラバースモータである。８０は、スピンドルユニット６６を昇降させるＤＣモータである。８２は、ディスクドライブユニット６０の上部に配置され、記録ディスク３２が挿入された際にディスクドライブユニット６０の内部に記録ディスク３２を引き込む呼び込みアームである。８４は、ディスクドライブユニット６０の下部に配置され、記録ディスク３２が挿入された際にディスクドライブユニット６０の内部に記録ディスク３２を引き込む呼び込みアームである。８６は、記録ディスク３２をディスクドライブユニット６０外へ押し出すイジェクトアームである。８８は、記録ディスク３２がディスクドライブユニット６０内部に挿入された際に所定の位置に記録ディスク３２を付勢する補助アームである。
【００２６】
イジェクトノブ４０によるイジェクト動作を説明する。図９は、本体３０の背面図を示す。図１０は図９のＸ−Ｘから見た断面図である。イジェクト検知スイッチ９２は、イジェクトノブ４０を本体３０の上面側に移動させるとオンになり、記録ディスク３２を記録部３４からイジェクトさせる信号をシステム制御装置１２に送出する。図１１は、本体３０の左側面図である。図１２は、図１１のＸＩＩ−ＸＩＩから見た断面図である。把持検知スイッチ９４が、グリップベルト５８の近傍に配置されている。ブラケット９６は、グリップベルト５８を記録部の外装部材に固定している。
【００２７】
図４に図示したように、記録部３４の外装筐体を撮影者が把持した状態では、グリップベルト５８に、図１２に矢印で示す方向のテンションが掛かる。このテンションによりブラケット９６が撓み、把持検知スイッチ９４がオンになる。この構成で、把持が検知される。即ち、把持検知装置２２は、把持検知スイッチ９４とブラケット９６からなる。
【００２８】
図１３は、本実施例における動作フローチャートである。システム制御装置１２には、図１３に示すフローチャートの制御動作を実現する制御プログラムが格納されている。
【００２９】
電源が投入されると（Ｓ１）、システム制御装置１２の制御プログラムが動作を開始し（Ｓ２）、イジェクト検知装置２０からの信号の有無を検出する（Ｓ３）。
【００３０】
イジェクト検知装置２０からの信号が検出された場合（Ｓ３）、すなわち、イジェクトノブ４０が本体上部にスライドされ、システム制御装置１２に信号が送出された場合、システム制御装置１２は、把持検知装置２２の信号の有無を検出する（Ｓ４）。ステップＳ４において、把持検知装置２２からの信号がない場合（Ｓ４）、すなわち、把持を検知されていない状態の場合、システム制御装置１２は記録ディスク３２をイジェクトするように、記録再生装置１４に指示する（Ｓ５）。把持検知装置２２の信号がある場合（Ｓ４）、すなわち、把持を検知した場合、システム制御装置１２は記録ディスク３２のイジェクト信号を記録再生装置１４に指示しない。
【００３１】
イジェクト検知装置２０からの信号が検出されない場合（Ｓ３）、電源オフを判断する（Ｓ６）。ステップＳ４で把持検知装置２２からの信号が検知された場合、すなわち把持を検知している場合、ステップＳ６に進む。
【００３２】
電源がオフされなければ（Ｓ６）、ステップＳ２に戻る。即ち、電源がオフになるまで、ステップＳ２〜Ｓ６がループで実行される。電源がオフされた場合、処理動作を終了する。
【００３３】
記録ディスク３２を記録部３４に装填する際には、撮像装置の上面方向から記録ディスク３２を本体側面に対して平行な方向で開口５６に挿入する。記録ディスク３２を図５に示す矢印方向に挿入すると、記録ディスク３２はまず、呼び込みアーム８２および呼び込みアーム８４と接触する。呼び込みアーム８２，８４は、ディスクドライブユニット６０の内側に回転する方向（記録ディスク３２をディスクドライブユニット６０の内側に引き込む方向）に不図示のバネによって付勢されている。呼び込みアーム８２，８４は、記録ディスク３２が接触した直後は、付勢方向とは逆の方向に回転し、撮影者がある所定の位置まで記録ディスク３２を押し込むと、バネの力によって記録ディスク３２をディスクドライブユニット６０の内部へ引き込む。
【００３４】
記録ディスク３２は、押し込まれている途中でディスクドライブユニット６０の外側に回転する方向（記録ディスク３２をディスクドライブユニット６０の外側へ押し出す方向）に付勢されたイジェクトアーム８６と接触する。イジェクトアーム８６は、記録ディスク３２によって付勢されている方向とは反対の方向に押し戻され、所定の位置まで移動すると、図示しないロック機構によって図８に示す位置にロックされる。
【００３５】
また、記録ディスク３２が押し込まれている途中で、記録ディスク３２は補助アーム８８に接触する。補助アーム８８は、ディスクドライブユニット６０の外側に回転する方向（記録ディスク３２をディスクドライブユニット６０の外側へ押し出す方向）に付勢されている。補助アーム８８は、ディスク挿入の際には記録ディスク３２を押し戻す方向に回転し、呼び込みアーム８２，８４と共に記録ディスク３２をディスク装着部６８の略中心にガイドする。記録ディスク３２がディスク装着部６８の略中心にガイドされると、ディスクドライブ制御基板７２が、スピンドルユニット６６、ディスク装着部６８及びディスク保持爪７０をＤＣモータ８０により記録ディスク３２に向けて上昇させる。このとき、記録ディスク３２の手前側（ラベル面側）は、記録部３４の内壁に設置された板金部材（不図示）と接触し、上側から押さえられた状態となり、記録ディスク３２は、下側から上昇してくるスピンドルユニット６６と挟まれる。
【００３６】
ディスク保持爪７０が記録ディスク３２の略中心の嵌合孔に嵌まり込み、記録ディスク３２は、ディスク装着部６８にロックされる。ディスク装着部６８に記録ディスク３２が装着されると、呼び込みアーム８２，８４及び補助アーム８８は、記録ディスク３２と接触しない位置まで移動し、図示しないロック機構によってロックされる（図８）。この状態の記録ディスク３２にデータを記録／再生する際には、図８に示す状態で、スピンドルユニット６６と共に記録ディスク３２が回転する。ＯＰＵ６４が、トラバースモータ７８によって記録ディスク３２の半径方向に移動しながら、レーザ光を記録ディスク３２に照射し、データを記録／再生する。
記録ディスク３２の取り出し動作を説明する。記録ディスク３２を取り出すときには、撮影者は、撮像装置を把持しない状態で、イジェクトノブ４０をスライドさせる。イジェクトノブ４０をスライドさせると、イジェクト検知スイッチ９２がオンになる。把持されていない状態であるから、把持検知スイッチ９４はオフである。従って、システム制御装置１２は、記録再生装置１４に記録ディスク３２のイジェクトを指示する。システム制御装置１２からのこの指示信号は、記録再生装置１４のディスクドライブ制御基板７２に入力し、ディスクドライブ制御基板７２は、ディスクドライブユニット６０にイジェクト動作を開始させる。
【００３７】
記録ディスク３２をイジェクトする際、まず、呼び込みアーム８２，８４及び補助アーム８８が、ロックが外れて記録ディスク３２と接触する。スピンドルユニット６６、ディスク装着部６８及びディスク保持爪７０が降下する。記録ディスク３２からディスク保持爪７０が外れて、記録ディスク３２のロックが解除される。イジェクトアーム８６のロックが外れ、イジェクトアーム８６が記録ディスク３２を外に押し出す方向に回転する。これにより、記録ディスク３２が所定位置までイジェクトされる。開口５６の内壁は、弾性部材（図示しない）によって形成されており、イジェクトされてきた記録ディスク３２は、この弾性部材とのフリクションによって、記録ディスク３２の最大外形部が開口５６より突出した状態で静止する。以下では、この状態（図７）をハーフイジェクトと呼ぶ。撮影者は、記録ディスク３２の最大外形部分を狭持して引き出すことにより、記録ディスク３２を取り出すことができる。
【００３８】
以上により、撮影中に不意にイジェクトノブ４０を操作しても、撮影者が撮像装置を把持している限り、記録部３４は、イジェクト動作を開始しない。従って、撮影が中断されることはない。これにより、イジェクトノブ４０を本体３０の誤操作しづらい位置に配置しなければならない設計上の制約が緩和され、イジェクトノブ４０の配置の自由度が増す。
【実施例２】
【００３９】
図１４は、本発明の実施例２の外観斜視図を示す。本実施例は、実施例１とは把持検知手段の構成が異なるが、その他の構成は、同じである。１１０は本体、１１２はモニタ部、１１４は記録部であり、撮影者は記録部１１４を把持する。本体１１０の上面、それも、把持状態で撮影者の指が届く位置にタッチパッド１１６を配置している。タッチパッド１１６に撮影者の手が触れているか否かで、把持状態か否かを検知する。タッチパッド１１６に指が触れているとき、タッチパッド１１６は把持検知信号をシステム制御装置１２に出力する。
【００４０】
把持検知デバイスはタッチパッド１１６に限らず、撮影者が把持していることを感知できるデバイスなら何でも良い。
【図面の簡単な説明】
【００４１】
【図１】本発明に係る撮像装置の一実施例の概略構成ブロック図である。
【図２】モニタを筐体側面で開いた状態で、本実施例を背後から見た外観斜視図を示す。
【図３】モニタを筐体側面で開いた状態で、本実施例を正面から見た外観斜視図を示す。
【図４】撮影用に手に持った状態で、本実施例を背後から見た斜視図を示す。
【図５】ディスクドライブユニット６０が待機位置にあるときの、記録部３４の正面図を示す。
【図６】ディスクドライブユニット６０が待機位置にあるときの、記録部３４の上面図を示す。
【図７】ディスクドライブユニット６０が記録ディスク３２をハーフイジェクトした状態の正面図を示す。
【図８】ディスクドライブユニット６０に記録ディスク３２がチャッキングされた状態の正面図を示す。
【図９】本体３０の背面図を示す。
【図１０】図９のＸ−Ｘから見た断面図である。
【図１１】本体３０の左側面図である。
【図１２】図１１のＸＩＩ−ＸＩＩから見た断面図である。
【図１３】本実施例における動作フローチャートである。
【図１４】本発明の実施例２の外観斜視図を示す。
【符号の説明】
【００４２】
１０：カメラ部
１２：システム制御装置
１４：記録再生装置
１６：ユーザインターフェース
１８：モニタ
２０：イジェクト検知装置
２２：把持検知装置
２４：電源スイッチ
３０：本体
３２：記録ディスク
３４：記録部
３６：十字キー
３８：決定キー
４０：イジェクトノブ
４２：トリガースイッチ
４４：ズームスイッチ
４６：フォトスイッチ
４８：ヒンジ
５０：バッテリ
５２：モードダイヤル
５４：撮影レンズ
５６：開口
５８：グリップベルト
６０：ディスクドライブユニット
６２：シャーシ
６４：光ピックアップユニット（ＯＰＵ）
６６：スピンドルユニット
６８：ディスク装着部
７０：ディスク保持爪
７２：ディスクドライブ制御基板
７４：フレキシブルケーブル
７６：フレキシブルケーブル
７８：トラバースモータ
８０：ＤＣモータ
８２：呼び込みアーム
８４：呼び込みアーム
８６：イジェクトアーム
８８：補助アーム
９２：イジェクト検知スイッチ
９４：把持検知スイッチ
９６：ブラケット
１１０：本体
１１２：モニタ
１１４：記録部
１１６：タッチパッド
【図１】
2009060248.tif 000003
【図２】
2009060248.tif 000004
【図３】
2009060248.tif 000005
【図４】
2009060248.tif 000006
【図５】
2009060248.tif 000007
【図６】
2009060248.tif 000008
【図７】
2009060248.tif 000009
【図８】
2009060248.tif 000010
【図９】
2009060248.tif 000011
【図１０】
2009060248.tif 000012
【図１１】
2009060248.tif 000013
【図１２】
2009060248.tif 000014
【図１３】
2009060248.tif 000015
【図１４】
2009060248.tif 000016